(57)【要約】      （修正有）【課題】錠箱内でのリード線の引き回しを不要にし、スペースを有効的に活用すること。【解決手段】配線用引出し口３０を有する錠箱２にプリント基板３１を設け、このプリント基板３１に第１スイッチ３３と第２スイッチ３４をそれぞれ直付けし、一方、錠箱２に駆動源の駆動力又は／及び人為的な操作力により回転するデッドカム５を設けると共に、該デッドカム５に作動体３５を連動させ、該作動体３５がデッドカム５の駆動力により作動すると、前記第１スイッチ３３又は第２スイッチ３４を選択的にＯＮ、ＯＦＦするスイッチ駆動部材３９を錠箱２に設けたことを特徴とする錠前のスイッチ機構。【選択図】  図１
2005248447.tif 000002
【特許請求の範囲】
【請求項１】
配線用引出し口を有する錠箱にプリント基板を設け、このプリント基板に第１スイッチと第２スイッチをそれぞれ直付けし、一方、錠箱に駆動源の駆動力又は／及び人為的な操作力により回転するデッドカムを設けると共に、該デッドカムに作動体を連動させ、該作動体がデッドカムの駆動力により作動すると、前記第１スイッチ又は第２スイッチを選択的にＯＮ、ＯＦＦするスイッチ駆動部材を錠箱に設けたことを特徴とする錠前のスイッチ機構。
【請求項２】
請求項１に於いて、作動体は回転式であり、スイッチ駆動部材は、該回転式作動体に連動するように錠箱内に配設されたスライド板と、このスライド板の移動により回動することができるように錠箱に軸支され、かつ、回転しながら第１スイッチ又は第２スイッチを選択的にＯＮ、ＯＦＦするスイッチ駆動片とから成ることを特徴とする錠前のスイッチ機構。
【請求項３】
請求項１に於いて、プリント基板は、錠箱の配線用引出し口の付近に配設されていることを特徴とする錠前のスイッチ機構。
【請求項４】
請求項１に於いて、プリント基板は、駆動モータの直ぐそばに設けられていることを特徴とする錠前のスイッチ機構。
【請求項５】
請求項１又は請求項２に於いて、スイッチ駆動部材のスイッチ駆動片は、プリント基板の第１スイッチと第２スイッチの間に軸支されていると共に、スライド板に連係され、かつ、第１及び第２スイッチの可動接片をそれぞれ押圧する１対の駆動アーム部を有することを特徴とする錠前のスイッチ機構。
【請求項６】
請求項１又は請求項２に於いて、スイッチ駆動部材のスライド板は、縦方向に配設され、一端部には、回転式作動体の係合部と係合する被係合部を有することを特徴とする錠前のスイッチ機構。
【発明の詳細な説明】
【技術分野】
【０００１】
本発明は、主に建具用錠前のスイッチ機構に関し、特に施錠信号及び解錠信号を拾うのに適合する錠前のスイッチ機構に関する。
【背景技術】
【０００２】
特許文献１の電気錠の錠箱には、第１ないし第３スイッチ（マイクロスイッチ）がそれぞれ個別的に配設されている。この特許文献１の図面には、第１ないし第３スイッチと制御装置ないし駆動モータとをそれぞれ電気的に接続するためのリード線が図示されていないが、普通一般に、錠前の一例としての電気錠に必要な複数本のリード線は、錠箱内に固定された配線用支持板にそれぞれ固定され、かつ、錠箱の内部空間を適宜に引き回して錠箱の上壁等に設けた配線用筒体へと導いている。したがって、その分錠箱内のスペースを有効的に活用できないという問題点があった。
【０００３】
また、上記第１スイッチ及び第２スイッチを作動させるスイッチ駆動板は、上下方向にスライドして第１・第２スイッチの可動接片と接触可能であるが、スライド方式の接触は、スライドして可動接片を所定量押圧し、或いは瞬間的に接触するので、確実性の観点から問題があった。例えば前記スイッチ駆動板の水平状態に突出する短片は、上方に位置する第２スイッチの外周縁を瞬間的に乗り上げてスイッチが切り換わるものであるから、確実性の観点から疑問が残る。
【０００４】
また、特許文献２には、「サムターンダルマ及びシリンダーダルマを対面状態に組み合わせ、該ダルマに形成されたサムターン係合歯及びシリンダー係合歯にそれぞれ噛合する制御歯車を横軸に設け、この制御歯車の制御指部と係合する係合突部を有する出力部材を前記横軸に設け、この出力部材の回転位置如何により、ＯＮ／ＯＦＦとなるスイッチを錠箱内に配設した錠前の信号取出し機構」が記載されている。
【０００５】
特許文献２に記載のスイッチの可動接片は、回転体の外周部に突出形成したスイッチ駆動部により押圧されるので、信号を確実に取るのに相応しいものの、スイッチ用リード線は、引用文献１と同様に錠箱内に固定された配線用支持板に固定され、かつ、錠箱の壁に設けた配線用筒体へと導くものであるから、特許文献１と同一の問題点を抱えていた。
【特許文献１】実開昭６１−１８９９４９号公報
【特許文献２】特開２００１−２２７２１４号公報
【発明の開示】
【発明が解決しようとする課題】
【０００６】
本発明の第１の目的は、錠箱内のスペースを有効的に活用することができることである。第２の目的は、信号を確実に取ることができることである。第３の目的は、配線作業を容易に行うことができることである。第４の目的は、スイッチ駆動部材を合理的に設けることである。
【課題を解決するための手段】
【０００７】
本発明の錠前のスイッチ機構は、配線用引出し口を有する錠箱にプリント基板を設け、このプリント基板に第１スイッチと第２スイッチをそれぞれ直付けし、一方、錠箱に駆動源の駆動力又は／及び人為的な操作力により回転するデッドカムを設けると共に、該デッドカムに作動体を連動させ、該作動体がデッドカムの駆動力により作動すると、前記第１スイッチ又は第２スイッチを選択的にＯＮ、ＯＦＦするスイッチ駆動部材を錠箱に設けたことを特徴とする。
【０００８】
上記構成に於いて、作動体は回転式であり、スイッチ駆動部材は、該回転式作動体に連動するように錠箱内に配設されたスライド板と、このスライド板の移動により回動することができるように錠箱に軸支され、かつ、回転しながら１スイッチ又は第２スイッチを選択的にＯＮ、ＯＦＦするスイッチ駆動片とから成ることを特徴とする。また、プリント基板を、錠箱の配線用引出し口の付近に配設したことも特徴である。
【発明の効果】
【０００９】
（１）プリント基板に第１スイッチと第２スイッチをそれぞれ直付けし、例えば施錠信号と解錠信号とを拾うことができるので、従来のように錠箱内でのリード線の引き回しが不要となった。
（２）したがって、リード線の引き回の不要な分だけ錠箱のスペースを有効的に活用することができる。特に、請求項３及び請求項４に記載の発明は、配線用引出し口に近いので、リード線を非常に短くすることができる。
（３）請求項２に記載の発明は、スイッチ駆動片は回転しながら、第１スイッチ又は第２スイッチを確実にＯＮ、ＯＦＦすることができる。したがって、信号を確実に拾うことができる。
（４）特に、請求項５及び請求項６に記載の発明は、縦型の錠箱内にスイッチ駆動片を合理的に配設することができる。
【発明を実施するための最良の形態】
【００１０】
以下、図１乃至図１３に示す本発明を実施するための最良の形態により説明する。
【００１１】
（１）発明の実施の環境
図１及び図１３は、発明の実施の環境を示す概略説明図である。例えば図１に於いて、Ｘは電気錠、１は扉、２は縦型の錠箱、３は駆動源、４は駆動源３の駆動力により施錠方向と解錠方向にそれぞれ回動する歯車列を有する歯車伝達機構、５は歯車伝達機構４の伝達力により作動すると共に、人為的な操作力によっても回動するデッドカム、６はデッドカム５の作動腕を介して進退動するデッドボルトである。これらの各部材は、錠箱２内に固定手段や支軸を介して適宜に配設され、電気錠を構成する主な部材である。
【００１２】
本発明の特定要件は、請求項１に記載しているように、プリント基板、少なくとも第１スイッチ及び第２スイッチ、回転式作動体及びスイッチ駆動部材であるが、プリント基板、スイッチなどについては、電気錠を構成する主な部材（特にデッドカム）と関連するので、まず、電気錠の主な部材について説明し、次いで本発明の特定要件について説明する。なお、細部的な事項は図面及びその説明を割愛する。
【００１３】
また、付随的構成に於いて、歯車伝達機構を構成する各歯車の噛合位置関係について、「略水平ラインＡ、Ｂ」の用語がでてくるが、これは説明図（図６）を基準にしているからであり、実際の実施の形態では、図１で示すように、歯車列のウォームホイール、伝動歯車、間欠歯車及びデッドカムは、それぞれ垂直状態である。
【００１４】
（２）扉１と錠箱２
扉１は、建物の出入り口に一端部側が枢支され、水平方向に回転自在に設けられている。電気錠Ｘの錠箱２は、箱身、箱蓋、前側の取付け板、フロントなどを有し、設計如何によって、取付け孔、軸孔、案内長孔、ガイドピン等が適宜に設けられている。電気錠Ｘには、プリント基板、プリント基板に設けられた信号検知手段（スイッチ）、回転式作動体及びスイッチ駆動部材が適宜に設けられている。
【００１５】
（３）駆動源３
駆動源３は、プリント基板ない制御手段と電気的に接続し、例えば縦型錠箱２内の上方に縦方向に配設されている。図１を基準にすると、錠箱２の左上に固定的に設けられ、その出力軸７は下方を指向している。駆動源３の一例としては、マイクロモータ等の電動機が用いられている。
【００１６】
（４）歯車伝達機構…駆動歯車８と第１伝動歯車１３
歯車伝達機構４は、本実施例では、駆動源３側のウォームギア８と、このウォームギア８とデッドカム５側の間欠歯車１０にそれぞれ個別的に噛合する伝動歯車９とから成る。
【００１７】
前記ウォームギア８は、図２で示すように、駆動源３の出力軸７に固定的に設けられたウォーム１１と、これに噛合するウォームホイール１２とから成る。ウォームギア８は、クラッチ機能を有する伝動歯車９に噛合する。
【００１８】
しかして、前記伝動歯車９は、駆動源３の駆動力によって回転するウォームギア８と噛合する第１伝動歯車１３と、この第１伝動歯車１３と共働回転可能であると共に、間欠歯車１０の噛合部分と噛合する第２伝動歯車１４とから構成され、デッドボルト５の進出に異常事態が発生した時、前記第１伝動歯車１３は、第２伝動歯車１４に対して摩擦回転可能である。
【００１９】
ここで、図３ないし図６を参照にして歯車伝達機構４を構成する各歯車の噛合位置関係を説明する。まず、図６で示すように、駆動歯車８と伝動歯車９の第１伝動歯車１３は、「一番下」に位置して噛合する。
【００２０】
（５）歯車伝達機構…伝動歯車
歯車伝達機構４の歯車列を構成する伝動歯車９は、クラッチ機能を有する第１伝動歯車１３並びに第２伝動歯車１４とから成る。伝動歯車９の具体的構成は、図５及び図６に示されている。
【００２１】
そこで、図６を参照にして説明すると、１５は錠箱２に横設軸架された固定支軸、１６は固定支軸に外嵌合する抜け止め用筒体、１３はこの筒体のフランジ部に係止された状態で回転する第１伝動歯車、１４は第１伝動歯車１３の一側面に形成された複数個（例えば２個）の切欠凹所１７に係脱可能な複数個の係合突起１８を対向面に有する第２伝動歯車、１９は第２伝動歯車の一側面に形成されたバネ端収納凹所２０と錠箱２の内壁面との間に位置するように前記抜け止め用筒体１６に巻装されたバネ部材である。
【００２２】
しかして、前記バネ部材１９は収縮可能である。すなわち、バネ部材１９は第２伝動歯車１４を第１伝動歯車１３に常時圧接するように付勢するが、本実施例の伝動歯車９はクラッチ機能を有するため、デッドボルト６の進出時に異常事態が発生すると、第２伝動歯車１４はバネ力に抗して第１伝動歯車１３から若干離れる（図６では浮上）する。
【００２３】
（６）歯車伝達機構…間欠歯車
図５を参照にして間欠歯車１０の構成を説明する。間欠歯車１０は、デッドカム５を人為的に操作した時、該デッドカム５のみが単独で遊動回転することを許容する非噛合部分２１を一側面側の周方向の一部に有する反面、駆動源３が駆動した時、歯車伝達機構４の歯車例の一部を構成する噛合部分２２を、一側面側のその余の部分（非噛合部分２１以外の部分）２２ｂ及び他側面側の周方向の全体２２ａにそれぞれ段差的に有する。
【００２４】
前記歯車例に関して、図６を基準にすると、間欠歯車１０の一側面側の非噛合部分（周方向の切欠部分）２１にデッドカム５のギア部分５ａが位置するように、両者は「一番上の略水平ラインＢ」に存在しているので、デッドカム５側のサムターン摘み或いはシリンダー錠に差し込まれた合鍵を操作しても、間欠歯車１０は回転しない。
【００２５】
これに対して、間欠歯車１０の他側面側の全体形成の噛合部分２２ａと伝動歯車９の上方の第２伝動歯車１４とは常に噛合するように略同一水平ラインＡに位置するから、例えば図１で示すように駆動源３の駆動力により、伝動歯車９が時計方向に回転すると、間欠歯車１０のその余のギア部分（非噛合部分２１以外の部分）２２ｂはデッドカム５のセレクトギア５ａに噛合して間欠歯車１０は反時計方向へと回転する反面、デッドカム５は時計方向へ回転し、その結果、デッドボルト６は錠箱２内に後退する。
【００２６】
（７）デッドカム５
デッドカム５は、セレクトギア５ａと、外側半径方向に延伸する作動腕５ｂとを有し、作動腕５ｂはデッドボルト６の後端部の係合部に係合する。
【００２７】
（８）デッドボルト６
デッドボルト６は、錠箱及びデッドボルトに設けられた案内手段（ガイドピン、案内長孔）を介して進退動する。
【００２８】
（９）デッドボルトの進退動
図１はデッドボルト６が駆動源３の駆動力により錠箱２内に後退動する解錠時の説明図であり、歯車伝達機構４、デッドカム５及びデッドボルト６の動きについては、構成と共に前述した通りである。これに対して、図１３はデッドボルト６が駆動源３の駆動力により錠箱２から進出した施錠時の説明図であり、この場合には、歯車伝達機構４、デッドカム５及びデッドボルト６の動きは矢印で示すように逆の態様になる。
【００２９】
したがって、駆動源３の駆動力により、歯車伝達機構４の伝動歯車９並びに間欠歯車１０は、それぞれ施錠方向と解錠方向にそれぞれ回動する反面、デッドボルト６の施錠時及び解錠時に於いて、デッドカム５を人為的に操作した時、間欠歯車１０に対して該デッドカム５のみが単独で遊動回転する。
【００３０】
（１０）本発明の特定要件
まず、本発明の錠前のスイッチ機構Ｙは、例えば電気錠Ｘに適合するので、駆動源３の駆動力又は／及び人為的な操作力により回転するデッドカム（通称、ダルマ）５が必要である。またデッドカムの駆動力により施錠方向ないし解錠方向に進退動するデッドボルト６も必要である。
【００３１】
次に本発明の目的との関係では、配線用取り出し口３０を有する錠箱２に設けられたプリント基板、スイッチ及びスイッチ用駆動片が必要である。本実施例では、図１で示すように、前記引出し口３０は錠箱２の上壁２ａに形成され、該引出し口３０には、配線用筒体３２が嵌め込まれている。プリント基板３１は、一部または全部が縦長状に形成され、駆動源３の直ぐそば（右側）に設けられていると共に、配線用取り出し口３０の付近に配設されている。
【００３２】
普通一般に駆動源３は、モータ取付け枠或いはケースに固定されているから、プリント基板３１は、モータ取付け枠或いは錠箱２の一側壁２ｂの内壁面に適宜に固定される。
少なくとも第１スイッチ３３と第２スイッチ３４は、プリント基板３１の下端部側に所要間隔離間して上下に取付けられている。本実施例では、図１に示したプリント基板３１を基準にすると、下方が施錠信号用の第１スイッチ３３であり、一方、上方が解錠用の第２スイッチ３４である。第１・第２スイッチ３３．３４は、マイクロスイッチが採用され、それぞれ可動接片３３ａ．３４ａを有している。
【００３３】
回転式作動体３５は、錠箱２に横設された固定軸３６を介してデッドカム５の駆動力により回転する。図９及び図１０を参照にして回転式作動体３５の構成を説明する。回転式作動体３５は、デッドカム５のセレクトギア５ａに噛合する駆動歯車（ここでは便宜上、「駆動歯車」と称する）３７と、この駆動歯車３７の一側下面に一体的に設けられ、かつ、左右に係合切欠端面３８ａ．３８ｂを有する略半円盤状の押圧係合部３８とから成り、前記押圧係合部３８の係合切欠端面３８ａ．３８ｂが、施錠時及び解錠時にスライド板４０を所定の方向に押圧する。
【００３４】
回転式作動体３５は、本実施例では、錠箱２内にカイド部或いはガイド手段を介して縦方向に移動自在に配設したスライド板４０を、施錠時では下方に押し下げる反面、解錠時では上方に押し上げる。
【００３５】
図１１はスイッチ駆動部材３９のスライド板４０の一例を示す。スライド板４０は、例えば長板状に形成され、錠箱２の一側壁２ｂに設けられた複数個のガイドピン４１及びスライド板４０に形成された複数個の案内長孔（例えば垂直案内長孔）４２を介して上下動する。
【００３６】
しかして、スライド板４０の一端部（下端部）４０ａは段差状に折曲形成され、該段差状端面に前述した係合切欠端面３８ａ．３８ｂにそれぞれ係合する被係合部としての突起駒４３がカシメ固定されている。一方、スライド板４０の一端部（上端部）４０ｂはやや右側に延伸し、スイッチ駆動部材のスイッチ駆動片４４の枢支部分となっている。
【００３７】
スイッチ駆動片４４は、図８で示すように、プリント基板３１の第１スイッチ３３と第２スイッチ３４の間に横軸４５を介して軸支されていると共に、スライド板４０等に形成された係合部或いは可動枢支ピン４６（本実施例）に連係（係合、枢着など）され、かつ、これら第１及び第２スイッチ３３．３４の可動接片３３ａ．３４ｂをそれぞれ押圧する蟹型の１対の駆動アーム部４４ａ．４４ｂを有している（蟹型は全体を断面にするとコ字型の意味）。
【００３８】
したがって、本実施例のスイッチ駆動部材３９は、回転式作動体３５に連動するように錠箱２内に配設されたスライド板４０と、このスライド板４０の移動により回動することができるように錠箱２に軸支され、かつ、回転しながら１スイッチ３３又は第２スイッチ３４を選択的にＯＮ、ＯＦＦするスイッチ駆動片４４とから成る。
【００３９】
（１１）スイッチの作動
前述したように、図１は解錠時の説明図であるが、この時、回転式作動体３５は反時計方向へと回転し、スライド板４０は、押圧係合部３８の切欠端面３８ｂに押し上げられる。スライド板４０が上昇すると、スイッチ駆動片４４は横軸４５を支点にして反時計方向へと回転し、上方に位置する駆動アーム部４４ｂが上方に位置する第２スイッチ３４の可動接片３４ａを押圧する。これにより、例えば解錠信号を取り出すことができる。
【００４０】
一方、図１３は施錠時の説明図である。この場合には解錠時の時とは逆の作動態様となる。すなわち、回転式作動体３５は時計方向へと回転し、スライド板４０は、押圧係合部３８の切欠端面３８ａに押し下げられる。スライド板４０が下降すると、スイッチ駆動片４４は横軸４５を支点にして時計方向へと回転し、下方に位置する駆動アーム部４４ａが下方に位置する第１スイッチ３３の可動接片３３ａを押圧する。これにより、例えば施錠信号を取り出すことができる。
【実施例】
【００４１】
本実施例では、プリント基板３１に、第１スイッチ３３と第２スイッチ３４を取付けているが、必要に応じて、駆動モータ給電用の第３スイッチ、非給電用の４第スイッチ、警報用の第５スイッチ等を取付けても良い。
【００４２】
また、本発明の第１特徴点は、プリント基板３１に複数個のスイッチを直付けしたことであるから、駆動源は、実施例の電動モータに限定されず、ソレノイドであっても良い。
【００４３】
また、デッドカムは駆動源の駆動力又は／及び人為的な操作力により回転すれば良いから、歯車伝達機構の構造やクラッチ機構は、実施例に限定されるのではない。歯車伝達機構の伝動歯車の他例としては傘歯車があり、また、クラッチ機構の他例としてはスイングアーム方式（特開平６−１０８７１６号）や特許文献１の記載のゼネバ機構がある。
【００４４】
さらに、デッドカムに連動する作動体は回転式（駆動歯車）であるが、この作動体は回転式に限定されるものではなく、クランク方式に設計変更することも可能である。
【産業上の利用可能性】
【００４５】
本発明は、主に建具や錠前の業界で利用される。
【図面の簡単な説明】
【００４６】
図１乃至図１３は本発明の最良の実施例を示す各説明図。
【図１】デッドボルトが錠箱内に後退動して第２スイッチが作動した状態の説明図。
【図２】第１伝動歯車の噛合関係の説明図。
【図３】第２伝動歯車と間欠歯車との噛合関係の説明図。
【図４】伝動歯車の構成を示す説明図。
【図５】間欠歯車とデッドカムとの噛合関係の説明図。
【図６】歯車伝達機構の歯車列の噛合関係の位置を示す説明図。
【図７】駆動源ないしスイッチを含む全体的な説明図。
【図８】本発明の主要部の概略説明図。
【図９】解錠時における回動式作動体とスライド板との係合関係を示す概略説明図。
【図１０】施錠時における回動式作動体とスライド板との係合関係を示す概略説明図。
【図１１】スライド板の斜視図。
【図１２】スイッチ駆動片の斜視図。
【図１３】デッドボルトが錠箱から進出して第１スイッチが作動した状態の説明図。
【符号の説明】
【００４７】
Ｘ…電気錠、Ｙ…錠前のスイッチ機構、1…扉、２…錠箱、２ａ…上壁、２ｂ…一側壁、３…駆動源、４…歯車伝達機構、５…デッドカム、５ａ…ギア部分、５ｂ…作動腕、６…デッドボルト、７…出力軸、８…ウォームギア、９…伝動歯車、１０…間欠歯車、１１…ウォーム、１２…ウォームホイール、１３…第１伝動歯車、１４…第２伝動歯車、１５…固定支軸、１６…抜け止め用筒体、１７…切欠凹所、１８…係合突起、１９…バネ部材、２０…バネ端収納凹所、Ａ．Ｂ…ライン、３０…配線用取り出し口、３１…プリント基板、３２…配線用筒体、３３…第１スイッチ、３４…第２スイッチ、３３ａ．３４ｂ…可動接片、３５…回転式作動体、３６…固定軸、３７…駆動歯車、３８…押圧係合部、３９…スイッチ駆動部材、４０…スライド板、４３…被係合部、４４…スイッチ駆動片、４５…横軸、４６…可動枢支ピン。
【図１】
2005248447.tif 000003
【図２】
2005248447.tif 000004
【図３】
2005248447.tif 000005
【図４】
2005248447.tif 000006
【図５】
2005248447.tif 000007
【図６】
2005248447.tif 000008
【図７】
2005248447.tif 000009
【図８】
2005248447.tif 000010
【図９】
2005248447.tif 000011
【図１０】
2005248447.tif 000012
【図１１】
2005248447.tif 000013
【図１２】
2005248447.tif 000014
【図１３】
2005248447.tif 000015